(57)【要約】  【課題】  反射傘を枠体に組み付ける時などに、トリガー電極に過大な応力が加わって変形しても、トリガー電極の接続不良を引き起こしにくいストロボ装置を提供する。  【解決手段】  前面に開口部１を形成した枠体２と、この枠体２の前記開口部１に前方から嵌入される金属材料からなる反射傘３と、この反射傘３に内挿される直管形状の閃光放電管４と、前記反射傘３の外面に接続され平板部２４を備えるトリガー電極５とを少なくとも備え、前記枠体２は、前記開口部１に嵌入された反射傘３の一部が入り込むように所定間隔を有して配置された一対の支持部８，８を備え、トリガー電極５の平板部２４は、前記一対の支持部８，８に跨って配置されかつ前記反射傘３の一部が当接して弾性変形するストロボ装置において、トリガー電極５の平板部２４の弾性変形により両端の両屈曲部２５，２５が反射傘に当接する方向に付勢力を伴って当接する。【選択図】  図１
2006317565.tif 000002
【特許請求の範囲】
【請求項１】
前面に開口部を形成した枠体と、この枠体の前記開口部に前方から嵌入される金属材料からなる反射傘と、この反射傘に内挿される直管形状の閃光放電管と、前記反射傘の外面に接続されるトリガー電極とを少なくとも備え、前記枠体は、前記開口部に嵌入された反射傘の一部が入り込むように所定間隔を有して配置された一対の支持部を備え、前記トリガー電極は、前記一対の支持部に跨って配置されかつ前記反射傘の一部が当接して弾性変形するストロボ装置において、
前記トリガー電極における前記一対の支持部に当接する部分よりも外側の部分が該一対の支持部を支点として前記反射傘に対向する側に反り、前記反射傘に付勢力を伴って当接することを特徴とするストロボ装置。
【請求項２】
前記トリガー電極における前記一対の支持部に当接する部分よりも外側の部分には、前記反射傘に対向する一対の突出部が設けられ、該一対の突出部が前記反射傘に付勢力を伴って接触することを特徴とする請求項１に記載のストロボ装置。
【請求項３】
前記トリガー電極は、前記一対の支持部の前記所定間隔よりも広い幅を有しかつ両端縁が前記反射傘に対向する側に屈曲されている平板部を備え、
該平板部が、前記一対の支持部に跨って配置されかつ前記反射傘の一部が当接して弾性変形することにより、前記平板部の両端縁が反射傘に付勢力を伴って接触することを特徴とする請求項１または２に記載のストロボ装置。
【発明の詳細な説明】
【技術分野】
【０００１】
本発明は、弾性を有するトリガー電極を反射傘に接触させることによりトリガー電極の接続を行うストロボ装置に関する。
【背景技術】
【０００２】
カメラ撮影を行うに際し、人工的に光量を補う人工照明としてのストロボ装置をカメラに組み込んだものが広く用いられている。
【０００３】
このような用途に用いられるストロボ装置は、前面に開口部を形成した枠体と、前方から開口部に嵌入された金属材料の反射傘と、この反射傘に内挿され反射傘の底面部に押圧された直管状の閃光放電管と、前記反射傘の外面に電気的に接続されたトリガー電極と、枠体の前面に配置された光学パネルとを備え、閃光放電管のガラスバルブ外周に施された導電性被膜が反射傘の底面と電気接続されている。
【０００４】
このような構成のストロボ装置は、トリガートランスの出力リード線、導電性材料、反射傘を介して閃光放電管の導電性被膜にトリガー電圧を印加することで、閃光放電管を励起して発光させ、この発光による光を反射傘で集光し、光学パネルを介して被写体に照射できるようになっている。
【０００５】
ところで、閃光放電管を励起するトリガー電極は、一般的には、トリガートランスの出力リード線がハンダ付けされた銅箔等の導電性材料を、両面に粘着層の形成された導電性を有するテープ（いわゆる両面粘着テープ）を介して反射傘に貼着して構成している。
【０００６】
しかし、このようなハンダ付け作業や導電性材料の貼着作業は、工数増加やコストアップの原因となるため、より簡単にトリガー電極の接続が可能となる構成が望まれていた。
【０００７】
そこで、弾性を有する金属でトリガー電極を構成し、枠体に反射傘を組み付けると、トリガー電極が反射傘に接触し、電気的に接続されるという構成が提案されている。
【０００８】
例えば、トリガー電極として、弾性を有する金属やフレキシブル基板の導電性パターン部分などを用い、このトリガー電極を枠体に形成した溝にまたがるように配置する。そして、反射傘を枠体に組み付ける際、この溝にトリガー電極が入り込むようにトリガー電極を反射傘の外面で押しつけ、トリガー電極をその弾性により反射傘の外面に接触させることにより、トリガー電極が反射傘に電気的に接続された状態とする（例えば特許文献１）。
【特許文献１】特開２００４−３３４１００号公報
【発明の開示】
【発明が解決しようとする課題】
【０００９】
しかしながら、反射傘を枠体に組み付けてトリガー電極を押しつける際、トリガー電極に過大な応力が加わりトリガー電極が元の形状に戻れない程度にまで変形してしまうと、トリガー電極の弾性による反力が弱くなり、トリガー電極と反射傘との接触が不十分となり、トリガー電極の接続が不完全なものとなるおそれがある。トリガー電極を、弾性変形による反力の強いものにすればこのような問題を解消できる可能性があるが、この場合、トリガー電極が反射傘を押しつける力が強力になるため、反射傘がずれたり歪んだりする原因となり、ストロボ装置の照射特性に悪影響を及ぼすおそれがある。
【００１０】
したがって、本発明は、反射傘を枠体に組み付ける時などに、トリガー電極に過大な応力が加わって変形しても、トリガー電極の接続不良を引き起こしにくいストロボ装置を提供することを目的とする。
【課題を解決するための手段】
【００１１】
本発明のストロボ装置は、前面に開口部を形成した枠体と、この枠体の前記開口部に前方から嵌入される金属材料からなる反射傘と、この反射傘に内挿される直管形状の閃光放電管と、前記反射傘の外面に接続されるトリガー電極とを少なくとも備え、前記枠体は、前記開口部に嵌入された反射傘の一部が入り込むように所定間隔を有して配置された一対の支持部を備え、前記トリガー電極は、前記一対の支持部に跨って配置されかつ前記反射傘の一部が当接して弾性変形するストロボ装置において、前記トリガー電極における前記一対の支持部に当接する部分よりも外側の部分が該一対の支持部を支点として前記反射傘に対向する側に反り、前記反射傘に付勢力を伴って当接することを特徴としている。
【００１２】
この構成によれば、反射傘を枠体に組み付けるときに、トリガー電極に無理な応力が作用し、該トリガー電極が元の形状に戻れない程度にまで変形してしまっても、前記したように、トリガー電極における前記一対の支持部に当接する部分よりも外側の部分がこの一対の支持部を支点として反射傘に対向する側に反り、反射傘に当接する方向に付勢力を伴って当接するようになっているため、トリガー電極は反射傘から離れることがなく、トリガー電極は反射傘に確実に接続された状態を維持することができる。
【００１３】
また、前記トリガー電極における前記一対の支持部に当接する部分よりも外側の部分には、前記反射傘に対向する一対の突出部が設けられ、該一対の突出部が前記反射傘に付勢力を伴って接触してもよい。この構成によれば、トリガー電極の弾性変形により一対の突出部が反射傘に当接するので、トリガー電極が反射傘に接触しやすくなり、より確実な接続が可能となる。
【００１４】
また、前記トリガー電極は、前記一対の支持部の前記所定間隔よりも広い幅を有しかつ両端縁が前記反射傘に対向する側に屈曲されている平板部を備え、該平板部が、前記一対の支持部に跨って配置されかつ前記反射傘の一部が当接して弾性変形することにより、前記平板部の両端縁が反射傘に付勢力を伴って接触してもよい。この構成によれば、上記の突出部に代えて形成が容易な屈曲部で構成したので、コスト低減に有利となる。
【発明の効果】
【００１５】
以上のように、本発明のストロボ装置によれば、反射傘を枠体に組み付けるときに、トリガー電極に無理な応力が作用し、該トリガー電極が元の形状に戻れない程度にまで変形してしまっても、前記したように、トリガー電極における前記一対の支持部に当接する部分よりも外側の部分がこの一対の支持部を支点として反射傘に対向する側に反り、反射傘に当接する方向に付勢力を伴って当接するようになっているため、トリガー電極は反射傘から離れることがなく、トリガー電極は反射傘に確実に接続された状態を維持することができる。
【発明を実施するための最良の形態】
【００１６】
本発明の実施の形態について、図１および図２を用いて説明する。
【００１７】
本実施形態にかかるストロボ装置は、図１に示す如く、前面に開口部１を形成した枠体２と、この枠体２の開口部１に前方から嵌入される例えばアルミニウム金属材料からなる反射傘３と、反射傘３に内挿される棒状の閃光放電管４と、反射傘３の外面に電気的に接続されトリガートランス（不図示）からのトリガー出力が印加されるトリガー電極５と、枠体２の前面に配置される光学パネル６とを備えている。
【００１８】
枠体２は、開口部１を略矩形状に形成して箱状に形成された絶縁性の樹脂成形体であり、枠体２の背面側の背面壁部７には、上下方向に所定間隔を有して一対の支持部８，８が設けられている。また、枠体２の下面側の下面壁部９には、トリガー電極５を挿入するスリット状の挿入口１０が、背面壁部７の内面に沿うように穿設されている。
【００１９】
具体的には、枠体２の背面壁部７の内面に長手方向に延びるように溝１１が形成されており、溝１１を形成する上下の開口端縁部で、前記一対の支持部８，８を形成している。
【００２０】
また、枠体２は、開口部１を形成する開口縁部の上下の端縁部に、嵌入された反射傘３が前方側に移動するのを規制し、反射傘３を保持する保持部１２が内側に向けて突設されている。
【００２１】
反射傘３は、枠体２の開口部１に嵌入可能に構成されており、所定形状の金属板を上下端同士が所定間隔を有するように湾曲させるとともに、該金属板の両側端部を折り曲げて形成され、前面に開口を形成している。該開口を形成する開口端縁部の上下の端縁部には、当該反射傘３を枠体２の開口部１に嵌入した状態で、枠体２の保持部１２が嵌り込む保持用凹部１３が形成されている。
【００２２】
また、反射傘３には、閃光放電管４を内挿する穴１４が、金属板の側端部を折り曲げて形成された側壁部に設けられており、穴１４は、閃光放電管４を挿入した際に、閃光放電管４の外周面に施された導電性被膜が、軸線方向で反射傘３の内周面に略接触するように配置されている。
【００２３】
閃光放電管４は、筒状のガラスバルブ１５と、該ガラスバルブ１５の両端部にビードガラス（図示しない）を介して取り付けられた主電極１６，１６とを備えており、ガラスバルブ１５内には、Ｘｅガスが封入され、さらにトリガー電圧が印加されたときに閃光放電管を励起するために、ガラスバルブ１５の外周面に上記した導電性被膜が施されている。
【００２４】
トリガー電極５は、リン青銅などの弾性を有する金属で薄板状に形成され、長辺部２１と短辺部２２とを一体的につなぎ合わせた略Ｌの字状の基体部２３と、短辺部２２の先端にこの短辺部２２と直交する形で一体的につなぎ合わされた平板部２４とで形成されている。平板部２４の両端は、反射傘３と対向する側に向けて該平板部２４に直交する形で折り曲げられ、さらに該平板部２４と平行な方向に沿って折り曲げられて、断面略Ｌの字状の屈曲部２５，２５が形成されている。
【００２５】
光学パネル６は、長方形状をなしたレンズ部２０と、このレンズ部２０の外周に所定幅で形成された縁部１７とで構成されている。
【００２６】
レンズ部２０は、例えば、光学パネル６の表面となる部分に光の集光作用を有するフレネルレンズからなる集光面が形成される一方、光学パネル６の裏面となる部分に、光の拡散作用を有する波形の拡散面が形成されたものである。縁部１７は、レンズ部２０と連続して形成されており、レンズ部２０が反射傘３の開口に対向配置された状態で枠体２の前面に当接して取り付けることができるようになっている。
【００２７】
上記構成のストロボ装置を組み立てるには、図２に示す如く、枠体２の挿入口１０にトリガー電極５の基体部２３を挿入し、該トリガー電極５の平板部２４を一対の支持部８，８に跨った状態に配置する。なお、トリガー電極５を位置決めしやすいように、トリガー電極５には係合穴１８が設けられ、この係合穴１８に係合する係合爪１９を枠体２に設けている。係合爪１９を設け、この係合爪１９を挿入する係合穴１８をトリガー電極５に設けている。
【００２８】
そして、閃光放電管４を内挿した反射傘３を、枠体２の開口部１に嵌入し、枠体２の保持部１２と、反射傘３の保持用凹部１３とを係合させる。そうすると、反射傘３の外面側の頂部が、一対の支持部８，８間（溝１１内）に介在しようとして、一対の支持部８，８間に跨って配置されたトリガー電極５を背面壁部７側に付勢（押圧）した状態となる。
【００２９】
この状態でトリガー電極５の平板部２４は、一対の支持部８，８によって支持され、一対の支持部８，８間で弾性変形し、この弾性変形による弾性力により反射傘３の底面部の外面（頂部）に反力を作用させて当接し、トリガー電極５が反射傘３に電気的に接続された状態になる。このとき、図２に示すように、平板部２４の両端の屈曲部２５，２５も、反射傘３の外面に当接しており、平板部２４が上記のように弾性変形することにより両屈曲部２５，２５は反射傘に当接する方向（図示矢印方向）に付勢力を伴って当接するようになっている。
【００３０】
その後、光学パネル６を枠体２の前面に取り付けることで、ストロボ装置の組み立てが完了する。なお、光学パネル６の枠体２への取り付けは、例えば、枠体２の前面枠の数箇所に突起を設け、光学パネルの縁部１７に設けた係合穴と前記突起との係合により取り付けるようにすれば良い。
【００３１】
以上構成のストロボ装置によれば、反射傘３を組み付けるときに、トリガー電極５の平板部２４に無理な応力が作用し、該平板部２４が元の形状に戻れない程度にまで変形してしまっても、前記したように、平板部２４の両端に設けた屈曲部２５，２５は平板部２４の弾性変形により反射傘３に当接する方向に付勢力を伴って当接するようになっているため、平板部２４が元の形状に戻れない程度に変形し、反射傘３から離れるか、もしくは反射傘３に当接する力が不十分となっても、両屈曲部２５，２５が反射傘３に当接し、トリガー電極５は反射傘３に確実に接続された状態を維持することができる。
【００３２】
なお、本発明はもちろん、上述した実施の形態に限定されるものではなく、その他、あらゆる用途に適用可能である。
【００３３】
上記実施形態において、トリガー電極５の形状は様々なものが考えられる。例えば、トリガー電極５の平板部２４の両端縁の屈曲部２５，２５に代えて、反射傘３に対向する側に突出する突出部（不図示）を設け、これを反射傘３に当接させるようにしてもよい。また、トリガー電極５は必ずしも基体部２３と平板部２４とに分けて形成する必要はなく、これらを一つの長方形状にまとめて形成してもよい。また、トリガー電極５の屈曲部２５，２５は反射傘３に当接しやすいように設けているが、省略することも可能である。
【００３４】
また、上記実施形態において、枠体２の背面壁部７に溝１１を形成することで、反射傘３の頂部を入り込ませるように所定間隔を有して一対の支持部８，８を形成したが、一対の支持部８，８は溝１１を設けることで形成されたものに限定されるものではなく、一対の支持部８，８は、例えば、上下方向に所定間隔を有して枠体２の背面壁部７から前方に向けて突出した一対の突条、或いは突起等で構成してもよい。
【産業上の利用可能性】
【００３５】
本発明は、弾性を有するトリガー電極を反射傘に接触させることによりトリガー電極の接続を行うあらゆるストロボ装置に好適である。
【図面の簡単な説明】
【００３６】
【図１】本発明の実施の形態に係るストロボ装置の分解斜視図
【図２】同実施の形態に係るストロボ装置を組み立てた状態の横断面図
【符号の説明】
【００３７】
１      開口部
２      枠体
３      反射傘
４      閃光放電管
５      トリガー電極
６      光学パネル
８      支持部
２３    基体部
２４    平板部
２５    屈曲部
【図１】
2006317565.tif 000003
【図２】
2006317565.tif 000004